【手続補正書】
【提出日】平成30年3月1日(2018.3.1)
【手続補正１】
【補正対象書類名】特許請求の範囲
【補正対象項目名】全文
【補正方法】変更
【補正の内容】
【特許請求の範囲】
【請求項１】
体外血液処理システムであって、
流体領域（fluids region）を示すように構成されたグラフィカル・ユーザ・インターフェースを備えるディスプレイ装置と、
前記ディスプレイ装置に動作可能に結合されたコンピューティング装置と
を備え、前記コンピューティング装置は、
複数の流体エリアを備える流体領域を前記グラフィカル・ユーザ・インターフェースに表示し、前記複数の流体エリアの各流体エリアは流量及び少なくとも１つの制限値を備え、前記流量は前記流体エリアに表示され、
前記複数の流体エリアのうちで選択された流体エリアの流量をユーザに調整させ、
前記選択された流体エリアの前記少なくとも１つの制限に達するように前記選択された流体エリアの前記流量が調整された際に、前記複数の流体エリアの１つまたはそれ以上の他の流体エリアの近くに調整通知（adjustment notification）を表示し、前記１つまたはそれ以上の他の流体エリアは、前記選択された流体エリアの前記少なくとも１つの制限を変更するよう調整可能である
ように構成された体外血液処理システム。
【請求項２】
前記選択された流体エリアの前記流量が前記選択された流体エリアの前記少なくとも１つの制限に達するように前記選択された流体エリアが調整された際に、前記選択された流体エリアの前記少なくとも１つの制限を変更するように調整可能な前記複数の流体エリアのうちの前記１つまたはそれ以上の他の流体エリアに関連する情報を備える前記複数の流体エリアのうちの前記選択された流体エリアの近くに調整情報エリアを表示すること、
を実行するように前記コンピューティング装置が更に構成され、
前記調整情報エリアは、前記少なくとも１つの制限の記述、前記１つまたはそれ以上の他の流体エリアの記述、及び前記選択された流体エリアの前記少なくとも１つの制限を変更するために前記１つまたはそれ以上の他の流体エリアで実行されることが要求される動作の記述、の少なくとも１つを備え、
前記少なくとも１つの制限は、上限と下限とを備える、請求項１のシステム。
【請求項３】
前記調整通知は、前記選択された流体エリアの前記少なくとも１つの制限を変更するための、前記１つまたはそれ以上の他の流体エリアの前記流量の増加または減少を示すアイコンを備える、請求項１または２のシステム。
【請求項４】
前記調整通知はアニメーションを備える、請求項１乃至３いずれか１つのシステム。
【請求項５】
前記複数の流体エリアの各流体エリアは、ポンプ及び注射器のいずれかを示すアイコンを備え、
前記複数の流体エリアは、前血液ポンプ（pre blood pump）、廃液（effluent）、クエン酸塩（citrate）、血流流量（blood flow rate）、患者の除水量（patient fluid removal）、透析液（dyalysate）、置換液（replacement fluid）、抗凝固剤（anticoagulation）、患者の血漿消費量（patient plasma loss）、及びカルシウム（calcium）のうちの１つまたはそれ以上に対応する、請求項１乃至４いずれか１つのシステム。
【請求項６】
前記選択された流体エリアは、調整前の前記流量である前流量（previous flow rate）を更に備え、
前記前流量は、ユーザが前記選択された流体エリアの前記流量を調整する際に、前記選択された流体エリアに表示される、請求項１乃至５いずれか１つのシステム。
【請求項７】
前記複数の流体エリアのうちの前記選択された流体エリアは、ユーザに対して前記選択された流体エリアの前記流量を調整させるように構成された調整エリアを更に備え、
前記調整エリアは、前記少なくとも１つの制限と、前記少なくとも１つの制限に関する前記選択された流体エリアの流量のグラフィカル表示を表示する、請求項１乃至６いずれか１つのシステム。
【請求項８】
ユーザが、前記複数の流体エリアのうちの流体エリアの前記流量を調整する前の、前記複数の流体エリアのうちの１つまたはそれ以上の流体エリア間の流体接続（fluid connections）のグラフィカル表示を表示することと、
前記グラフィカル・ユーザー・インターフェースに交換領域（change region）を表示することと、
前記複数の流体エリアのうちの少なくとも１つの流体エリアに関連付けられた動作を開始するためにユーザが前記交換領域を選択した際に、前記流体接続のグラフィカル表示を消すことと、
を実行するように前記コンピューティング装置が更に構成される、
ように更に構成された、請求項１乃至７いずれか１つのシステム。
【請求項９】
体外血液処理システムであって、
流体領域を示すように構成されたグラフィカル・ユーザ・インターフェースを備えるディスプレイ装置と、
前記ディスプレイ装置に動作可能に結合されたコンピューティング装置と
を備え、前記コンピューティング装置は、
複数の流体エリアを備える流体領域を前記グラフィカル・ユーザ・インターフェースに表示し、前記複数の流体エリアの各流体エリアは前記流体エリアに表示された流量を備え、
前記複数の流体エリアのうちの流体エリアの前記流量をユーザが調整する前の前記複数の流体エリアのうちの１つまたはそれ以上の流体エリア間の流体接続のグラフィック表示（graphical representations）を表示し、
前記複数の流体エリアのうちの少なくとも１つの流体エリアに関連するアクションをユーザが開始する際に、前記流体接続のグラフィック表示を前記グラフィカル・ユーザ・インターフェースから除去する
ように構成される、体外血液処理システム。
【請求項１０】
グラフィカル・ユーザ・インターフェースは、前記ユーザの選択に応じて、前記複数の流体エリアのうちの少なくとも１つの流体エリアに関連するアクションを可能にするように構成された交換領域（change region）を更に備え、
前記複数の流体エリアの少なくとも１つの流体エリアに関連する前記アクションは、流量調整とリザーバ交換のいずれかを備える、請求項９のシステム。
【請求項１１】
体外血液処理システムであって、
流体領域を示すように構成されたグラフィカル・ユーザ・インターフェースを備えるディスプレイ装置と、
前記ディスプレイ装置に動作可能に結合されたコンピューティング装置と
を備え、前記コンピューティング装置は、
複数の流体エリアを備える流量領域を前記グラフィカル・ユーザ・インターフェースに表示し、前記複数の流体エリアの各流体エリアは前記流体エリアに表示された流量を備え、
前記複数の流体エリアのうちの流体エリアの前記流量をユーザが調整する前の前記複数の流体エリアのうちの１つまたはそれ以上の流体エリア間の流体接続のグラフィック表示を表示し、
前記複数の流体エリアのうちの少なくとも１つの流体エリアに関連するアクションをユーザが開始する際に、前記流体接続のグラフィック表示をグラフィカルに変更する
ように構成される、体外血液処理システム。
【請求項１２】
グラフィカル・ユーザ・インターフェースは、前記ユーザに対して、前記流体領域の選択を可能とさせて、前記複数の流体エリアのうちの少なくとも１つの流体エリアに関連するアクションを開始する、ように構成され、及び／またはグラフィカル・ユーザ・インターフェースは、前記ユーザに対して、前記複数の流体エリアのうちの選択された流体エリアの選択を可能とさせて、前記複数の流体エリアのうちの前記選択された流体エリアに関連するアクションを開始する、ように構成され、
前記ユーザが前記複数の流体エリアのうちの前記選択された流体エリアを選択して、前記複数の流体エリアのうちの前記選択された流体エリアに関連するアクションを開始した際に、前記選択されたエリアを除く前記複数の流体エリアのうちの１つまたはそれ以上の流体エリアもまた、グラフィカルに変更され、機能不能とされ、
前記流体接続のグラフィック表示をグラフィカルに変更することは、前記流体接続のグラフィカル表示を暗くすること（darkening）、を備え、
前記複数の流体エリアのうちの少なくとも１つの流体エリアに関連する前記アクションは、流量調整とリザーバ交換のいずれかを備える、請求項１１のシステム。
【手続補正２】
【補正対象書類名】明細書
【補正対象項目名】００９７
【補正方法】変更
【補正の内容】
【００９７】
本明細書で引用された全ての特許、特許文献、及び参考文献は、各々が個別に組み込まれるように、それらの全てが組み込まれる。本開示は、例示的な実施形態を参照して与えられ、限定的な意味で解釈されるものでは無い。前述のように、当業者は、本明細書に記載されるように、他の様々な例示的なアプリケーションが、本明細書で述べられた技術を用いて、本明細書で述べられたシステム及び方法の有益な特性の利点を得ることが出来ることを認識するであろう。例示的な実施形態の様々な変形例、並びに本開示の更なる実施形態は、この説明を参照することにより明らかになるであろう。 
上記実施形態は下記の態様を含み得る。すなわち、  
[1]体外血液処理システムであって、流体領域（fluids region）を示すように構成されたグラフィカル・ユーザ・インターフェースを備えるディスプレイ装置と、前記ディスプレイ装置に動作可能に結合されたコンピューティング装置とを備え、前記コンピューティング装置は、  
複数の流体エリアを備える流体領域を前記グラフィカル・ユーザ・インターフェースに表示し、前記複数の流体エリアの各流体エリアは流量及び少なくとも１つの制限値を備え、前記流量は前記流体エリアに表示され、前記複数の流体エリアのうちで選択された流体エリアの流量をユーザに調整させ、前記選択された流体エリアの前記少なくとも１つの制限に達するように前記選択された流体エリアの前記流量が調整された際に、前記複数の流体エリアの１つまたはそれ以上の他の流体エリアの近くに調整通知（adjustment notification）を表示し、前記１つまたはそれ以上の他の流体エリアは、前記選択された流体エリアの前記少なくとも１つの制限を変更するよう調整可能であるように構成された体外血液処理システム。  
[2]体外血液処理システムのための方法であって、流体領域を備えるグラフィカル・ユーザ・インターフェースを用意することと、複数の流体エリアを備える流体領域を前記グラフィカル・ユーザ・インターフェースに表示することであって、前記複数の流体エリアの各流体エリアは流量及び少なくとも１つの制限値を備え、前記流量は前記流体エリアに表示される、ことと、前記複数の流体エリアのうちで選択された流体エリアの前記流量をユーザに調整させることと、前記選択された流体エリアの前記少なくとも１つの制限に達するように前記選択された流体エリアの前記流量が調整された際に、前記複数の流体エリアの１つまたはそれ以上の他の流体エリアの近くに調整通知を表示することであって、前記１つまたはそれ以上の他の流体エリアは、前記選択された流体エリアの前記少なくとも１つの制限を変更するよう調整可能である、こととを備える方法。  
[3]前記少なくとも１つの制限は、上限と下限とを備える、[1]乃至[2]のいずれか１つのシステムまたは方法。  
[4]前記選択された流体エリアの前記流量が前記選択された流体エリアの前記少なくとも１つの制限に達するように前記選択された流体エリアが調整された際に、前記選択された流体エリアの前記少なくとも１つの制限を変更するように調整可能な前記複数の流体エリアのうちの前記１つまたはそれ以上の他の流体エリアに関連する情報を備える前記複数の流体エリアのうちの前記選択された流体エリアの近くに調整情報エリアを表示すること、を実行するように前記コンピューティング装置が更に構成され、または前記方法は更に備える、[1]乃至[3]いずれか１つのシステムまたは方法。  
[5]前記調整情報エリアは、前記少なくとも１つの制限の記述、前記１つまたはそれ以上の他の流体エリアの記述、及び前記選択された流体エリアの前記少なくとも１つの制限を変更するために前記１つまたはそれ以上の他の流体エリアで実行されることが要求される動作の記述、の少なくとも１つを備える、[4]のシステムまたは方法。  
[6]前記調整通知は、前記選択された流体エリアの前記少なくとも１つの制限を変更するための、前記１つまたはそれ以上の他の流体エリアの前記流量の増加または減少を示すアイコンを備える、[1]乃至[5]いずれか１つのシステムまたは方法。  
[7]前記調整通知はアニメーションを備える、[1]乃至[6]いずれか１つのシステムまたは方法。  
[8]前記複数の流体エリアの各流体エリアは、ポンプ及び注射器のいずれかを示すアイコンを備える、[1]乃至[7]いずれか１つのシステムまたは方法。  
[9]前記選択された流体エリアは、調整前の前記流量である前流量（previous flow rate）を更に備え、前記前流量は、ユーザが前記選択された流体エリアの前記流量を調整する際に、前記選択された流体エリアに表示される、[1]乃至[8]いずれか１つのシステムまたは方法。  
[10]前記複数の流体エリアのうちの前記選択された流体エリアは、ユーザに対して前記選択された流体エリアの前記流量を調整させるように構成された調整エリアを更に備え、前記調整エリアは、前記少なくとも１つの制限と、前記少なくとも１つの制限に関する前記選択された流体エリアの流量のグラフィカル表示を表示する、[1]乃至[9]いずれか１つのシステムまたは方法。  
[11]ユーザが、前記複数の流体エリアのうちの流体エリアの前記流量を調整する前の、前記複数の流体エリアのうちの１つまたはそれ以上の流体エリア間の流体接続（fluid connections）のグラフィカル表示を表示することと、前記グラフィカル・ユーザー・インターフェースに交換領域（change region）を表示することと、前記複数の流体エリアのうちの少なくとも１つの流体エリアに関連付けられた動作を開始するためにユーザが前記交換領域を選択した際に、前記流体接続のグラフィカル表示を消すことと、を実行するように前記コンピューティング装置が更に構成され、または前記方法は更に備える、ように更に構成された、[1]乃至[10]いずれか１つのシステムまたは方法。  
[12]前記複数の流体エリアは、前血液ポンプ（pre blood pump）、廃液（effluent）、クエン酸塩（citrate）、血流流量（blood flow rate）、患者の除水量（patient fluid removal）、透析液（dyalysate）、置換液（replacement fluid）、抗凝固剤（anticoagulation）、患者の血漿消費量（patient plasma loss）、及びカルシウム（calcium）のうちの１つまたはそれ以上に対応する、[1]乃至[11]いずれか１つのシステムまたは方法。  
[13]体外血液処理システムであって、流体領域を示すように構成されたグラフィカル・ユーザ・インターフェースを備えるディスプレイ装置と、前記ディスプレイ装置に動作可能に結合されたコンピューティング装置とを備え、前記コンピューティング装置は、  
複数の流体エリアを備える流体領域を前記グラフィカル・ユーザ・インターフェースに表示し、前記複数の流体エリアの各流体エリアは前記流体エリアに表示された流量を備え、前記複数の流体エリアのうちの流体エリアの前記流量をユーザが調整する前の前記複数の流体エリアのうちの１つまたはそれ以上の流体エリア間の流体接続のグラフィック表示（graphical representations）を表示し、前記複数の流体エリアのうちの少なくとも１つの流体エリアに関連するアクションをユーザが開始する際に、前記流体接続のグラフィック表示を前記グラフィカル・ユーザ・インターフェースから除去するように構成される、体外血液処理システム。  
[14]体外血液処理システムのための方法であって、流体領域を備えるグラフィカル・ユーザ・インターフェースを用意することと、複数の流体エリアを備える流体領域を前記グラフィカル・ユーザ・インターフェースに表示することであって、前記複数の流体エリアの各流体エリアは前記流体エリアに表示された流量を備える、ことと、前記複数の流体エリアのうちの流体エリアの前記流量をユーザが調整する前の前記複数の流体エリアのうちの１つまたはそれ以上の流体エリア間の流体接続のグラフィック表示を表示することと、前記グラフィカル・ユーザ・インターフェースに交換領域（change region）を表示することと、前記複数の流体エリアのうちの少なくとも１つの流体エリアに関連するアクションをユーザが開始する際に、前記流体接続のグラフィック表示を前記グラフィカル・ユーザ・インターフェースから除去することとを備える方法。  
[15]グラフィカル・ユーザ・インターフェースは、前記ユーザの選択に応じて、前記複数の流体エリアのうちの少なくとも１つの流体エリアに関連するアクションを可能にするように構成された交換領域（change region）を更に備える、[13]乃至[14]いずれか１項のシステムまたは方法。  
[16]前記複数の流体エリアの少なくとも１つの流体エリアに関連する前記アクションは、流量調整とリザーバ交換のいずれかを備える、[13]乃至[15]いずれか１項のシステムまたは方法。  
[17]体外血液処理システムであって、流体領域を示すように構成されたグラフィカル・ユーザ・インターフェースを備えるディスプレイ装置と、前記ディスプレイ装置に動作可能に結合されたコンピューティング装置とを備え、前記コンピューティング装置は、  
複数の流体エリアを備える流量領域を前記グラフィカル・ユーザ・インターフェースに表示し、前記複数の流体エリアの各流体エリアは前記流体エリアに表示された流量を備え、前記複数の流体エリアのうちの流体エリアの前記流量をユーザが調整する前の前記複数の流体エリアのうちの１つまたはそれ以上の流体エリア間の流体接続のグラフィック表示を表示し、前記複数の流体エリアのうちの少なくとも１つの流体エリアに関連するアクションをユーザが開始する際に、前記流体接続のグラフィック表示をグラフィカルに変更するように構成される、体外血液処理システム。  
[18]体外血液処理システムのための方法であって、流体領域を備えるグラフィカル・ユーザ・インターフェースを用意することと、複数の流体エリアを備える流体領域を前記グラフィカル・ユーザ・インターフェースに表示することであって、前記複数の流体エリアの各流体エリアは前記流体エリアに表示される流量を備える、ことと、前記複数の流体エリアのうちの流体エリアの前記流量をユーザが調整する前の前記複数の流体エリアのうちの１つまたはそれ以上の流体エリア間の流体接続のグラフィック表示を表示することと、前記複数の流体エリアのうちの少なくとも１つの流体エリアに関連するアクションをユーザが開始する際に、前記流体接続のグラフィック表示をグラフィカルに変更することとを備える方法。  
[19]グラフィカル・ユーザ・インターフェースは、前記ユーザに対して、前記流体領域の選択を可能とさせて、前記複数の流体エリアのうちの少なくとも１つの流体エリアに関連するアクションを開始する、ように構成される、[17]乃至[18]いずれか１項のシステムまたは方法。  
[20]グラフィカル・ユーザ・インターフェースは、前記ユーザに対して、前記複数の流体エリアのうちの選択された流体エリアの選択を可能とさせて、前記複数の流体エリアのうちの前記選択された流体エリアに関連するアクションを開始する、ように構成される、[17]乃至[18]いずれか１項のシステムまたは方法。  
[21]ユーザが前記複数の流体エリアのうちの前記選択された流体エリアを選択して、前記複数の流体エリアのうちの前記選択された流体エリアに関連するアクションを開始した際に、前記選択されたエリアを除く前記複数の流体エリアのうちの１つまたはそれ以上の流体エリアもまた、グラフィカルに変更され、機能不能とされる、[20]のシステムまたは方法。  
[22]前記流体接続のグラフィック表示をグラフィカルに変更することは、前記流体接続のグラフィカル表示を暗くすること（darkening）、を備える、[17]乃至[21]いずれか１項のシステムまたは方法。  
[23]前記複数の流体エリアのうちの少なくとも１つの流体エリアに関連する前記アクションは、流量調整とリザーバ交換のいずれかを備える、[17]乃至[22]いずれか１項のシステムまたは方法。